(57)【特許請求の範囲】
【請求項１】
取付板に形成された取付孔に長尺部材を貫通保持するために、前記取付孔に挿通されるとともに前記長尺部材を挿通可能な筒状の挿通部と、前記挿通部の外側面に設けられて前記取付板の表面に密着する鍔状の密着部と、前記挿通部の外側面に設けられて前記取付板の裏面に圧接する圧接部と、前記密着部に対応するように前記挿通部の内側面に設けられた溝部とを有するアウター部材と、
前記溝部に収容される略中空円盤状のインナー部材とを備えるグロメットであって、
前記インナー部材の周縁に突起が設けられており、
前記インナー部材が平面略長円形状であるとともに、前記突起が前記インナー部材の短軸に対して交差する径方向に向かって突出されて前記アウター部材の前記溝部とのラップ代を径方向に広げることを特徴とするグロメット。
【請求項２】
前記突起が前記インナー部材の長軸に対して交差する方向に向かって突設されていることを特徴とする請求項１に記載したグロメット。
【請求項３】
前記突起が複数設けられていることを特徴とする請求項１又は請求項２に記載したグロメット。
【発明の詳細な説明】
【０００１】
【発明の属する技術分野】
本発明はグロメットに係り、例えば自動車の車体とバックドアのような一方の取付板と他方の取付板との間に配索した長尺部材を保護するためにこれらの取付板との間に取付けたグロメットに関する。
【０００２】
【従来の技術】
図５に示すように、自動車100の車体101からバックドア102へと配索したワイヤハーネス103はグロメット105で覆われている。
車体101とバックドア102との間にグロメット105を取付けて、ワイヤハーネス103をグロメット105で覆うことにより、バックドア102の開放時にワイヤハーネス103が外部に露出することを防止する。
【０００３】
グロメット105は、車体101側の取付孔106（図６参照）に係止する車体側取付部111と、バックドア102側の取付孔107に係止するドア側取付部112とを両端に備え、その間を蛇腹状の連結筒部113で連続させて一体成形したものである。
なお、車体側取付部111とドア側取付部112とは略同一部材であり、以下ドア側取付部112について説明して車体側取付部111の説明は省略する。
【０００４】
このグロメット105を車体101とバックドア102との間に取付ける際には、図６（Ａ）に示すようにワイヤハーネス103に嵌入したグロメット105を、車体101の内側から車体101の取付孔106を通して、図６（Ｂ）に示すように車体101とバックドア102との間に取り出す。
【０００５】
ワイヤハーネス103の先端103A側をバックドア102の取付孔107に差し込んだ後、図６（Ｃ）〜図６（Ｅ）に示すようにバックドア102の取付孔107にグロメット105のドア側取付部112の上端を差し込む。その後、グロメット105のドア側取付部112をバックドア102の取付孔107に係止することにより、図５に示すようにバックドア102に取付ける。
【０００６】
図７に示すように、グロメット105のドア側取付部112は、バックドア102の取付孔107（図６参照）にワイヤハーネス103を貫通保持するために、取付孔107に挿通されるとともにワイヤハーネス103を挿通可能な筒状の挿通部115と、挿通部115の外側面に設けられてバックドア103の表面に密着する鍔状の密着部116と、挿通部115の外側面に設けられてバックドア102の裏面に圧接する圧接部117と、密着部116に対応するように挿通部115の内側面に設けられた溝部118とを有するアウター部材121と、溝部118に収容される略中空円盤状のインナー部材120とを備える。インナー部120は筒状のガイド部119の外周に形成されている。
【０００７】
ガイド部119のインナー部材120は、一般的に平面略長円形状に形成されている。平面略長円形状のインナー部材120をグロメット105の密着部116の溝部118に収容する際には、インナー部材120の長軸120A側から溝部118に収容することにより、インナー部材120をグロメット105の密着部116の溝部118に簡単に収容できる。
【０００８】
【発明が解決しようとする課題】
ところで、図６（Ｃ）に示すようにバックドア102の取付孔107にグロメット105のドア側取付部112の上端を差し込む際に、密着部116がバックドア102に当たる場合も起こり得る。
ここで、ガイド部119のインナー部材120は、図８（Ａ）に示すように突出幅W1が比較的小さいので、万が一、密着部116がバックドア102に当接すると、図８（Ｂ）に示すようにインナー部材120から密着部116がめくれて抜け出す虞がある。
【０００９】
この問題を解消するために、インナー部材120の突出幅を大きく設定してインナー部材120と密着部116とのラップ代を大きくすることで、密着部116にめくれの発生を防ぐことが考えられる。
しかしながら、インナー部材120の突出幅が大きくなると、図６（Ｅ）に示すように密着部116の上端116Aがバックドア102に干渉する虞があり、グロメット105をバックドア102に取付ける作業に手間が掛かることが考えられる。
【００１０】
本発明は、前述した問題点に鑑みてなされたものであり、その目的は、グロメットの密着部がめくれることを防止でき、さらにグロメットの密着部の干渉を防止できるグロメットを提供することにある。
【００１１】
【課題を解決するための手段】
前述した目的を達成するために、本発明は、請求項１に記載したように、取付板に形成された取付孔に長尺部材を貫通保持するために、前記取付孔に挿通されるとともに前記長尺部材を挿通可能な筒状の挿通部と、前記挿通部の外側面に設けられて前記取付板の表面に密着する鍔状の密着部と、前記挿通部の外側面に設けられて前記取付板の裏面に圧接する圧接部と、前記密着部に対応するように前記挿通部の内側面に設けられた溝部とを有するアウター部材と、前記溝部に収容される略中空円盤状のインナー部材とを備えるグロメット１０であって、前記インナー部材の周縁に突起が設けられており、前記インナー部材が平面略長円形状であるとともに、前記突起が前記インナー部材の短軸に対して交差する径方向に向かって突出されて前記アウター部材の前記溝部とのラップ代を径方向に広げることを特徴とする。
【００１２】
このように構成されたグロメットにおいては、インナー部材の周縁に突起を設けることで、密着部を突起にラップさせるように構成した。これにより、密着部のラップ代を大きく確保してグロメットの密着部をめくり難くできる。
さらに、インナー部材の周縁に突起を設けるだけでよいので、インナー部材の突出を一部のみに抑えることができる。これにより、グロメットを取付板の取付孔に貫通させる際に、グロメットの密着部の取付板への干渉を防止できる。
【００１３】
また、本発明においては、請求項１に記載したように、前記インナー部材が平面略長円形状であるとともに、前記突起が前記インナー部材の短軸に対して交差する方向に向かって突出されていることを特徴とする。
【００１４】
ここで、一般にグロメットの密着部の溝部に平面略長円形状のインナー部材を収容する際には、インナー部材の長軸側から溝部に収容する。
そこで、請求項１において、インナー部材を平面略長円形状とし、インナー部材の短軸に対して突起を交差する方向に向かって突出するように構成した。これにより、密着部の溝部にインナー部材を収容する際に、インナー部材の突起から溝部に簡単に収容できる。
【００１５】
また、本発明においては、請求項２に記載したように、前記突起が前記インナー部材の長軸に対して交差する方向に向かって突接されていることを特徴とする。
【００１６】
突起を、インナー部材の長軸に対して交差する方向に向かって突接することで、インナー部材の長軸方向の大きさを抑えることができるとともに、短軸方向の大きさを抑えることができるので、インナー部材の形状が大きくなることを防いでインナー部材をコンパクトに抑えることができる。
【００１７】
また、本発明においては、請求項３に記載したように、前記突起が複数設けられていることを特徴とする。突起を複数設けることで、密着部のラップ代を大きく確保できるので、グロメットの密着部のめくれをより効率よく防止できる。
【００１８】
【発明の実施の形態】
以下、本発明に係る実施形態を図面に基づいて詳細に説明する。なお、以下に説明する各実施形態において、既に図５〜図８において説明した部材等については、図中に同一符号あるいは相当符号を付すことにより説明を簡略化あるいは省略する。
【００１９】
図１に示すように、第１実施形態のグロメット10は、一例として車体11の取付板12に形成された取付孔13にワイヤハーネス（長尺部材）15を貫通保持する車体側グロメット本体20と、バックドア16の取付板17に形成された取付孔18にワイヤハーネス15を貫通保持するドア側グロメット本体30と、車体側グロメット本体20およびドア側グロメット本体30を連結する連通部材38とからなる。
【００２０】
図１〜図２に示すように、車体側グロメット本体20は、アウター部材40とインナー部材27とを備える。
アウター部材40は、車体11の取付孔13に挿通されるとともにワイヤハーネス15を挿通可能な筒状の挿通部21と、挿通部21の外側面21Aに設けられて取付板12の表面12Aに密着する鍔状の密着部22と、挿通部21の外側面21Aに設けられて取付板12の裏面12Bに圧接する圧接部25と、密着部22に対応するように挿通部21の内側面21Bに設けられた溝部23と備える。
一方、インナー部材27は、溝部23に収容される略中空円盤状に形成されている。このインナー部材27は、挿通部21に同軸接続されて表面12Aおよび裏面12Bのうちの少なくとも一方側（実施形態では裏面12B）に突出する筒状のガイド部26と、ガイド部26の外周26Aに形成されている。
【００２１】
図２に示すように、ガイド部26は、平面略長円形状の筒状に形成され、開放端縁26Bで長軸28Aに沿った位置に、ワイヤハーネス15の少なくとも一部を収容可能な切欠部26Cが設けられている。
さらに、ガイド部26の外周26Aにはインナー部材27が平面略長円形状に形成され、インナー部材27の周縁27Aに複数（第１〜第３）の突起29A，29B，29Cがインナー部材27の短軸28Bに対して交差する方向に向かって突出されている。
【００２２】
第１〜第３の突起のうちの第１〜第２の突起は、インナー部材の長軸に対して交差する方向に向かって突接されている。加えて、ガイド部26の外周26Aには、取付板12の取付孔13に係止することでガイド部26を取付板12に保持する係止爪26Dが形成されている。
ここで、一般にグロメット10の密着部22の溝部23に平面略長円形状のインナー部材27を収容する際には、インナー部材27の長軸28A側から溝部23に矢印の方向に向けて収容する。
【００２３】
ドア側グロメット本体30は、図１に示すようにバックドア16の取付孔18に挿通されるとともにワイヤハーネス15を挿通可能な筒状の挿通部31と、挿通部31に設けられて取付板17の表面17Aに密着する鍔状の密着部32と、挿通部31に設けられて取付板17の裏面17Bに圧接する圧接部35と、圧接部に一体形成され、表面17Aおよび裏面17Bのうちの少なくとも一方側に突出する筒状のガイド部36とを備える。
【００２４】
連通部材38は、ワイヤハーネス15を収容可能に筒状に形成されるとともに、蛇腹状に形成されている。これにより、連通部材38を所望の形状に屈曲でき、グロメット10を車体11の取付板12とバックドア16の取付板17との間に簡単に取付けることができる。
【００２５】
このように構成されたグロメット10においては、インナー部材27の周縁27Aに第１〜第３突起29A〜29Cを設けることで、第１〜第３突起29A〜29Cを覆う密着部22を第１〜第３突起29A〜29Cにラップさせるように構成した。
これにより図３に示すように、密着部22のラップ代W2を大きく確保できるので、グロメット10の密着部22がめくれることを防止できる。
【００２６】
さらに、インナー部材27の周縁27Aに第１〜第３突起29A〜29Cを設けるだけでよいので、インナー部材27の突出を一部のみに抑えて、第１〜第３突起29A〜29Cをコンパクトにできる。
これにより、グロメット10を取付板12の取付孔13に貫通させる際に、インナー部材27に被せたグロメット10の密着部22が取付板12に干渉することを防止できる。
【００２７】
また、インナー部材27を平面略長円形状とし、インナー部材27の短軸28Bに対して、図２に示す第１〜第３突起29A〜29Cを交差する方向に向かって突出するように構成した。
これにより、密着部22の溝部23にインナー部材27を収容する際に、図２に示すようにインナー部材27を矢印のように第１〜第２突起29A〜29Bから溝部23に収容することができるので、密着部22の溝部23にインナー部材27を簡単に収容できる。
【００２８】
さらに、第１〜第２突起29A〜29Bを、インナー部材27の長軸28Aに対して交差する方向に向かって突接することで、図２に示すようにインナー部材27の長軸28A方向の大きさL1を抑えることができるとともに、短軸28B方向の大きさL2を抑えることができる。
【００２９】
よって、インナー部材27の形状が大きくなること防いでインナー部材27をコンパクトに抑えることができる。これにより、グロメット10の車体側グロメット本体20を取付板12の取付孔13に貫通させる際に、インナー部材27に被せたグロメット10の密着部22が取付板12に干渉することを防止できる。
【００３０】
加えて、第１〜第３突起29A〜29Cを複数個（３個）設けることで、密着部22のラップ量を大きく確保できるので、グロメット10の密着部22がめくれることをより効率よく防止できる。
【００３１】
また、このように構成されたグロメット10においては、図２に示すようにガイド部26の開放端縁26Bに、ワイヤハーネス15の少なくとも一部を収容可能な切欠部26Cを設けた。
これにより、図４に示すようにワイヤハーネス15をガイド部26の切欠部26C（図２参照）に収容することでガイド部26の開放端縁26Bからのワイヤハーネス15の突出量L3を小さく抑えることができる。
【００３２】
従って、グロメット10を取付板12の取付孔13に差し込む際に、ワイヤハーネス15が取付板12に当接することを防止して、グロメット10の車体側グロメット本体20を取付板12に手間をかけないで簡単に取付けることができる。
【００３３】
さらに図２に示すように、ガイド部26が平面略長円形状であるとともに、切欠部26Cをガイド部26の長軸28Aに沿った位置に形成した。これにより、図４に示すようにガイド部26からワイヤハーネス15を引き出す際に、ワイヤハーネス15を手間をかけないで簡単に切欠部26Cに収容することができる。
【００３４】
なお、前記実施形態では、グロメット10の車体側グロメット本体20とドア側グロメット本体30とを異なる構成にした例について説明したが、これに限らないで、例えばドア側グロメット本体30を車体側グロメット本体20と同じ構成にすることも可能である。
【００３５】
また、前記実施形態では、長尺部材をワイヤハーネス15とし、取付板を車体の一部とした例について説明したが、長尺部材はこれに限るものではなく、取付板は車体に限るものではない。
さらに、前記実施形態では、複数の突起として３個の突起29a〜29Cを例に説明したが、突起の個数はこれに限らないで任意に設定することができる。
【００３６】
また、本発明は、前述した各実施形態に限定されるものでなく、適宜な変形，改良等が可能であり、前述した各実施形態において例示したグロメット，取付板，長尺部材等の材質，形状，寸法，形態，数，配置個所，厚さ寸法等は本発明を達成できるものであれば任意であり、限定されない。
【００３７】
【発明の効果】
以上、説明したように、本発明によれば、請求項１に記載したように、インナー部材の周縁に突起を設けることで、密着部を突起にラップさせるように構成した。これにより、密着部のラップ代を大きく確保できるので、グロメットの密着部がめくれることを防止できる。
【００３８】
さらに、インナー部材の周縁に突起を設けるだけでよいので、インナー部材の突出を一部のみに抑えることができる。これにより、グロメットを取付板の取付孔に貫通させる際に、インナー部材に被せたグロメットの密着部の取付板への干渉を防止できる。
【００３９】
また、請求項１に記載したように、インナー部材を平面略長円形状とし、インナー部材の短軸に対して突起を交差する方向に向かって突出するように構成した。これにより、密着部の溝部にインナー部材を収容する際に、インナー部材の突起から溝部に収容することができるので、密着部の溝部にインナー部材を簡単に収容できる。
【００４０】
また、請求項２に記載したように、突起を、インナー部材の長軸に対して交差する方向に向かって突接することで、インナー部材の長軸方向の大きさを抑えることができるとともに、短軸方向の大きさを抑えることができる。よって、インナー部材の形状が大きくなることを防いでインナー部材をコンパクトに抑えることができる。これにより、グロメットを取付板の取付孔に貫通させる際に、インナー部材に被せたグロメットの密着部が取付板に干渉することを防止できる。
【００４１】
また、請求項３に記載したように、突起を複数設けることで、密着部のラップ代を大きく確保できるので、グロメットの密着部がめくれることをより効率よく防止できる。
【図面の簡単な説明】
【図１】本発明に係るグロメットを示す側面図である。
【図２】本発明に係るグロメットの要部を示す分解斜視図である。
【図３】本発明に係るグロメットの要部を示す断面図である。
【図４】本発明に係るグロメットの要部を示す側面図である。
【図５】従来のグロメットを車両に取付けた状態を示す斜視図である。
【図６】（Ａ）〜（Ｅ）は従来のグロメットを車両に取付ける手順を説明した図である。
【図７】従来のグロメットの要部を示す分解斜視図である。
【図８】従来のグロメットの作用を説明した図である。
【符号の説明】
10  グロメット
12  取付板
12A  表面
12B  裏面
13  取付孔
15  ワイヤハーネス
21  挿通部
21A  外側面
21B  内側面
22  密着部
23  溝部
25  圧接部
27  インナー部材
27A  周縁
28A  長軸
28B  短軸
29A，29B，29C  突起
40  アウター部材
【図１】
0003943432.tif 000002
【図２】
0003943432.tif 000003
【図３】
0003943432.tif 000004
【図４】
0003943432.tif 000005
【図５】
0003943432.tif 000006
【図６】
0003943432.tif 000007
【図７】
0003943432.tif 000008
【図８】
0003943432.tif 000009